(57)【要約】【課題】点検時に必要な点検スペースを確保する。【解決手段】エレベータの乗りかごＢはかご外装Ｋを備える。かご外装Ｋは外装本体と、上梁１と、上梁１に支持された複数枚の上面パネルＰ１、Ｐ２とを有する。上面パネルＰ１、Ｐ２は乗りかごの間口方向および奥行方向の複数方向へ開閉する。【選択図】図１
2016222415.tif 000002
【特許請求の範囲】
【請求項１】
かご枠を含み、乗りかごのかご上機器を覆い隠すためのかご外装を備えたエレベータの乗りかごにおいて、
前記かご外装は外装本体と、前記かご枠に取り付けられた上梁と、この上梁により支持された複数枚の上面パネルとを有し、前記上面パネルは複数方向に開閉可能となることを特徴とするエレベータの乗りかご。
【請求項２】
各上面パネルは、前記上梁に上面パネル枠を介して取付けられ、乗りかごの間口方向または乗りかごの奥行方向に開閉可能となることを特徴とする請求項１記載のエレベータの乗りかご。
【請求項３】
各上面パネルに、開いた角度を固定するロック機構が設けられていることを特徴とする請求項１または２記載のエレベータの乗りかご。
【請求項４】
各上面パネルに、上面パネル枠から取外し可能なヒンジ構造が設けられていることを特徴とする請求項２または３記載のエレベータの乗りかご。
【請求項５】
前記ロック機構は前記上梁に固定された上面パネル枠を含むことを特徴とする請求項３記載のエレベータの乗りかご。
【発明の詳細な説明】
【技術分野】
【０００１】
本発明の実施形態は、かご上機器を覆い隠す為のかご外装を備えたエレベータの乗りかごに関する。
【背景技術】
【０００２】
展望用エレベータの場合、美観向上のためかご上機器が見えないように乗りかごの上側にかご外装を設ける場合がある。エレベータの乗りかごの上側に、かご外装を設ける場合、通常、かご外装を開閉可能としてかご上での点検スペースを確保している（たとえば、特許文献１参照）。
【０００３】
図１４に従来のエレベータの乗りかごの例を示す。従来のエレベータの乗りかごＢはかご枠３０により保持されたかご室３１と、かご室３１上に設けられたかご外装Ｋとを備えている。図１４に示すように、かご外装Ｋは上面パネルＰを有し、上面パネルＰは外装本体３３にヒンジ結合され、パネルＰを、開閉をして点検スペースを確保している。しかし、かごサイズの大きい大型エレベータの場合は、この上面パネルＰの寸法が大きくなる。またヒンジを軸とした上面パネルＰの回転半径が大きくなるため、上面パネルＰを開いた際に上面パネルＰ外側のかご上機器などに干渉してしまうおそれがある。また、上面パネルＰの重量が重くなるため、点検時に作業者に負担がかかったり、または開閉できないという課題がある。さらに、上面パネルＰが開く方向にある時は、点検ができないという課題がある。また、図１４に示す従来のエレベータの乗りかごにおいては、かご背面側の昇降路用品等を点検することはむずかしい。
【０００４】
他方、かご上点検スペースを広く確保しつつ、上面パネルが上面パネル外側の部材と干渉することを防止したエレベータの乗りかごが開発されている（例えば、特許文献２参照）。
【０００５】
特許文献２において、上面側を構成する複数枚の上面パネルが設置され、この上面パネルを合わせるように移動させることで上面側を開く構造となっている。このためかご上にかごロープが通る場合は、構造上適用することができない。
【先行技術文献】
【特許文献】
【０００６】
【特許文献１】特開２０１１−１２１７４７
【特許文献２】特開２０１５−２７８９８
【発明の概要】
【発明が解決しようとする課題】
【０００７】
本実施の形態は、このような点を考慮してなされたものであり、乗りかごサイズの大きい大型エレベータで、かつ乗りかご上にかごロープが通る場合でも適用でき、点検時に必要な点検スペースを確保することができるエレベータの乗りかごを提供することを目的とする。
【課題を解決するための手段】
【０００８】
本実施の形態は、かご枠を含み、乗りかごのかご上機器を覆い隠すためのかご外装を備えたエレベータの乗りかごにおいて、前記かご外装は外装本体と、前記かご枠に取り付けられた上梁と、この上梁により支持された複数枚の上面パネルとを有し、前記上面パネルは複数方向に開閉可能となることを特徴とするエレベータの乗りかごである。
【図面の簡単な説明】
【０００９】
【図１】第１の実施の形態によるエレベータの乗りかごであって、かご外装の上面パネルが閉じた状態を示す斜視図である。
【図２】第１の実施の形態によるエレベータの乗りかごであって、かご外装の上面パネルが開いた状態の一例を示す斜視図である。
【図３】第１の実施の形態において上面パネルＰ１の構造を示す説明図である。
【図４】第１の実施の形態においてヒンジＨ１により上面パネルＰ１が開いた状態の一例を示す斜視図である。
【図５】第１の実施の形態においてヒンジＨ１の構造を示す断面図である。
【図６】第１の実施の形態において図５の矢視ＡからヒンジＨ１の構造を示す説明図である。
【図７】第１の実施の形態において上面パネルＰ１が閉じた状態での上面パネル枠Ｆ１への固定装置を示す説明図である。
【図８】上面パネルＰ１のロック機構Ｒ１を示す部分断面図である。
【図９】第１の実施の形態において上面パネルＰ２の構造を示す説明図である。
【図１０】第１の実施の形態において上面パネルＰ２がヒンジＨ２により開いた状態を示す斜視図である。
【図１１】上面パネルＰ２が閉じた状態のロック機構Ｒ２の部分断面図である。
【図１２】第２の実施の形態において上面パネルＰ１，Ｐ２の構造を示す説明図である。
【図１３】第２の実施の形態において上面パネルＰ１，Ｐ２を示す断面図である。
【図１４】従来のかご外装パネルを備えたエレベータの乗りかごを示す図である。
【発明を実施するための形態】
【００１０】
＜第１の実施の形態＞
以下、添付図面を参照して、第１の実施の形態によるエレベータの乗りかごについて説明する。  
図１は、走行時のエレベータの乗りかごを示す図であって、かご外装の上面パネルが閉じた状態を示す斜視図である。図２は、点検時のエレベータの乗りかごを示す図であって、かご外装の上面パネルが開いた状態の一例を示す斜視図である。
【００１１】
エレベータの乗りかごＢは、かご室３１と、このかご室３１の上部に設けられ、かご上機器（図示せず）を覆い隠すためのかご外装Ｋと、これらかご室３１およびかご外装Ｋを支持するかご枠３０とを備えている。またかご外装Ｋは、外装本体３３と、外装本体３３の外周を規定するとともに外装本体３３の中央部に延びる上梁１を有する。この上梁１はかご外装Ｋの支持体を構成するとともに、かご枠３０に連結されている。
【００１２】
またこの上梁１に、後述する上面パネル枠Ｆ１、Ｆ２を介して、複数の上面パネルＰ１、Ｐ２が開閉自在に取付けられている。この上面パネルＰ１、Ｐ２は、かご外装Ｋの上面を構成している。
【００１３】
図１および図２に示すように、かご外装Ｋの複数枚の上面パネルＰ１、Ｐ２は、かご外装Ｋの中央部の上梁１を境にかご前側上面パネルＰ’と後側上面パネルＰ’とに分類することができるが、いずれも同様な構成となっている。
【００１４】
ここでは、かご前側上面パネルＰ’に属する上面パネルＰ１、Ｐ２について説明する。前側上面パネルＰ’は、１枚の上面パネルＰ１と２枚の上面パネルＰ２とに分けられる。このうち、上面パネルＰ１は前側上面パネルＰ’の中央に位置し、上面パネルＰ２は前側上面パネルＰ’の両側に位置している。
【００１５】
以下に上面パネルの開閉機構の詳細を示す。  
図３は、前側上面パネルＰ’の中央に位置する上面パネルＰ１の構造を説明する説明図である。かご外装Ｋの中央に延びる上梁１にパネル枠支持部材２が固定され、このパネル枠支持部材２にパネル枠（上面パネル枠ともいう）Ｆ１が固定されている。またパネル枠Ｆ１にヒンジＨ１を介して上面パネルＰ１が設置されている。また上面パネルＰ１はＰ１１〜Ｐ１４の４枚のパネルで構成されている。
【００１６】
図４は、ヒンジＨ１により上面パネルＰ１が開いた状態の一例を示す斜視図である。上面パネルＰ１はパネルＰ１１〜Ｐ１４を含む。この上面パネルＰ１はパネル枠Ｆ１にヒンジＨ１を介して開閉自在に取付けられ、ヒンジＨ１により上面パネルＰ１が乗りかごの間口方向に開閉する。すなわち、上面パネルＰ１のパネルＰ１１とＰ１２、およびパネルＰ１３とＰ１４とが同時に開閉する。また上面パネルＰ１のパネルＰ１１〜Ｐ１４の開閉角度を固定するために上面パネルＰ１のパネルＰ１１とＰ１２の間、およびパネルＰ１３とＰ１４の間にはロック機構Ｒ１が設けられている。
【００１７】
また上面パネル枠Ｆ１にロック機構支持部材３が固定され、このロック機構支持部材３とロック機構Ｒ１の間にはスライド可能なシャフト５が設けられている。
【００１８】
図５はヒンジＨ１の構造を説明する断面図であり、図６は、図５の矢視ＡからヒンジＨ１の構造を説明する説明図である。図５および図６に示すように、上面パネルＰ１のパネルＰ１１〜Ｐ１４には、それぞれブラケット６が固定されている。ヒンジＨ１は回転機構７を有し、この回転機構７はブラケット６に固定されている。また回転機構７には上面パネル支え８が取付けられており、この上面パネル支え８はパネル固定部材９に固定され、このパネル固定部材９はパネル枠Ｆ１に対して、蝶ボルト１０で固定されている。そして蝶ボルト１０を緩めることにより、パネル固定部材９とパネル固定部材９に支持された上面パネルＰ１は、垂直方向に取りはずし可能となる。
【００１９】
次に図７により、上面パネルＰ１が閉じた状態でのパネル枠Ｆ１への固定方法について述べる。図７に示すように、上面パネル枠Ｆ１に掛金１１が固定され、上面パネルＰ１のパネルＰ１１とＰ１２にそれぞれにブラケット１２が固定されている。そして一対のブラケット１２を挟むように、パネル固定ブラケット１３が固定されている。またパネル固定ブラケット１３に穴が形成され、この穴にパネル枠Ｆ１に固定された掛金１１を通すことにより、パネル枠Ｆ１に上面パネルＰ１のパネルＰ１１、Ｐ１２を固定することができる。上面パネルＰ１のパネルＰ１３とＰ１４もパネル１１、１２と同様な構造でパネル枠１１に固定されている。
【００２０】
次に図８により、上面パネルＰ１のロック機構Ｒ１について説明する。ここで図８は、上面パネルＰ１のロック機構Ｒ１の部分断面図である。図８に示すように、ロック機構Ｒ１は開口されたガイド１４とストッパー１５とを含む。このうちガイド１４は、上面パネルＰ１のパネルＰ１１とＰ１２のブラケット１２に固定されている。またストッパー１５は、ガイド１４の下端部に回転可能な状態で固定されている。またパネル枠Ｆ１にロック機構支持部材３が設けられ（図４参照）、このロック機構支持部材３にシャフト５の下端部が回転可能に取り付けられ、シャフト５の上端部はガイド１４にスライド可能に取り付けられている。上面パネルＰ１のパネルＰ１１、１２を開くと、シャフト５が開口されたガイド１４を下部ヘスライドする。そして上面パネルＰ１のパネルＰ１１とＰ１２を開き、シャフト５がガイド１４の下部にスライドした状態で、ストッパー１５を回転させストッパー１５をシャフト５に係合させる。このことにより、シャフト５が上部にスライドする動きを抑制し、上面パネルＰ１のパネルＰ１１、Ｐ１２が所定の開閉角度に固定される。
【００２１】
なお上面パネルＰ１のパネルＰ１３、Ｐ１４も、パネルＰ１１、Ｐ１２と同様な構成で、所定の開閉角度に固定される。
【００２２】
次に上面パネルＰ２の構造を図９により説明する。ここで図９は、上面パネルＰ２を示す説明図である。図９に示すように、上梁１にパネル枠支持部材１６が固定され、このパネル枠支持部材１６に回転可能なヒンジＨ２が固定され、このヒンジＨ２に対してパネル枠Ｆ２が固定されている。更にパネル枠Ｆ２にヒンジＨ１を介して上面パネルＰ２が設置されている。上面パネルＰ２は、４枚のパネルＰ２１〜Ｐ２４を有する。
【００２３】
図１０は、上面パネルＰ２がヒンジＨ２により開いた状態を示す斜視図である。上面パネルＰ２のパネルＰ２１〜Ｐ２４はヒンジＨ２により、同時に開閉する構造である。上面パネルＰ２のパネルＰ２１〜２４は、上面パネルＰ１のパネルＰ１１〜Ｐ１４と同様に掛金１１によってパネル枠Ｆ２に固定されている。またパネル枠Ｆ１には、パネル枠Ｆ２上の上面パネルＰ２の開閉角度を固定するロック機構Ｒ２が設けられている。この場合、ロック機構Ｒ２はパネル枠Ｆ１に固定された、複数の切欠１８ａを含むレール１８を有し、パネル枠Ｆ２には、パネル枠支え１７が固定されている。そしてパネル枠支え１７とレール１８の間にはステイ１９が介在されている。またパネル枠Ｆ２と上面パネルＰ２の間に、上面パネル支え２１が設けられている。ステイ１９はパネル枠支え１７に対して回転可能に取り付けられ、レール１８に対しては、ステイ１９の先端のピン２０がレール１８の所定の切欠１８ａと係合することにより、上面パネルＰ２の開閉角度が固定される。
【００２４】
さらに上面パネルＰ２は、上面パネルＰ１と同様にヒンジＨ１によりパネル枠Ｆ２に対して開閉が可能である。このため上面パネルＰ２は乗りかごの間口方向および奥行方向の両方向に開閉可能となる。
【００２５】
次にこのような構成からなる本実施の形態の作用について説明する。  
まずエレベータの乗りかごＢの走行時にかご外装Ｋを構成する上面パネルＰ１、Ｐ２が閉鎖される（図１参照）。この場合、各上面パネルＰ１は、ヒンジＨ１を介してパネル枠Ｆ１に対して閉となり、上面パネルＰ１はパネル枠Ｆ１に掛金１１により固定される。
【００２６】
また各上面パネルＰ２もヒンジＨ１を介してパネル枠Ｆ２に対して閉となり、上面パネルＰ２はパネル枠Ｆ２に掛金１１により固定される。さらにパネル枠Ｆ２は、ヒンジＨ２を介して上枠１に対して閉方向に回動して上面パネルＰ２が閉鎖される。  
このようにしてかご外装Ｋを構成する上面パネルＰ１、Ｐ２が閉鎖される。
【００２７】
次に点検作業時において、かご外装Ｋを構成する上面パネルＰ１、Ｐ２が開となる。  
この場合、前側上面パネルＰ’側において、中央の上面パネルＰ１は、乗りかごＢの間口方向（図２の左右方向）に回動して開く。また前側上面パネルＰ’側において左側の上面パネルＰ２は乗りかごＢの間口方向に回動して開くが、右側の上面パネルＰ２は乗りかごＢの間口方向と奥行方向に回動可能である。
【００２８】
その後、上面パネルＰ１はロック機構Ｒ１により所望角度に固定され、上面パネルＰ２は、ロック機構Ｒ２により所望角度に固定される。
【００２９】
次に作業者は、かご室３１から上面パネルＰ１、Ｐ２の開放部分を介してかご上機器の点検作業を行うことができる。
【００３０】
なお、後側上面パネルＰ’側においても、前側上面パネルＰ’側と同様に上面パネルＰ１、Ｐ２の開閉を行って、作業者がかご室３１から上面パネルＰ１、Ｐ２の開放部分を介してかご上機器の点検作業を行うことができる。
【００３１】
このように本実施の形態によれば、かご外装Ｋは複数の上面パネルＰ１、Ｐ２を有し、各上面パネルＰ１、Ｐ２は乗りかごの間口方向あるいは奥行方向に開閉される。このため点検場所に合わせて必要な点検スペースを確保することができる。
【００３２】
またかご外装Ｋは複数の上面パネルＰ１、Ｐ２を有するため、かごサイズが大きい大型のエレベータであっても、このかご外装Ｋを適用することができる。このため、上面パネル１枚あたりの重量を軽くでき、点検時にパネル開閉作業の作業性が向上する。さらに各上面パネルＰ１、Ｐ２は、かご外装Ｋの中央部を通る上梁１の側方に設置されているため、かご外装Ｋは乗りかごＢの上方にロープが通る構造のエレベータであっても適用可能である。
【００３３】
さらにまた、ロック機構Ｒ１、Ｒ２により上面パネルＰ１、Ｐ２を上面パネルＰ１、Ｐ２を開いた状態で固定することができ、開いた上面パネルＰ１、Ｐ２が昇降路用品等まわりの機器と干渉することはない。また、ロック機構Ｒ２は、切欠１８ａを含むレール１８を有するため上面パネルＰ２の開閉角度が調整可能となる。
【００３４】
また上面パネルＰ１は、パネル枠Ｆ１に対して蝶ボルト１０で固定されているため、上面パネルＰ１を使用しない場合、パネル枠Ｆ１から上面パネルＰ１を取り外すことができる。
【００３５】
さらに上面パネルＰ１は、パネル枠Ｆ１に対して掛金１１で固定することができ、また上面パネルＰ２はパネル枠Ｆ２に対して掛金１１で固定することができるため、上面パネルＰ１、Ｐ２を開くことが不要な場合、これら上面パネルＰ１、Ｐ２をパネル枠Ｆ１、Ｆ２に固定して誤動作を防止できる。
【００３６】
＜第２の実施の形態＞
次に、第２の実施の形態について、図１２および図１３により説明する。  
ここで図１２は、第２の実施の形態における上面パネルＰ１、Ｐ２の構造を示す説明図である。図１３は、第２の実施の形態における上面パネルＰ１、Ｐ２の断面図である。
【００３７】
図１２および図１３に示す第２の実施の形態は、ロック機構Ｒ２が複数の切欠２２ａを含むレール２２を有するとともに、レール２２が上面パネルＰ１を支持するパネル枠Ｆ１ではなく、ロック機構Ｒ２専用のパネル枠Ｆ３上に設置されている構成をもつ。
【００３８】
他の構成は図１乃至図１１に示す第１の実施の形態と略同一である。
【００３９】
図１２および図１３に示す第２の実施の形態において、図１乃至図１１に示す第１の実施の形態と同一部分には同一符号を付して詳細な説明は省略する。
【００４０】
図１２および図１３において、上梁１にパネル支持部材２が固定され、このパネル支持部材２に、ロック機構Ｒ２専用のパネル枠Ｆ３が設置されている。そしてパネルＦ３に複数の切欠２２ａを含むレール２２が設けられている。
【００４１】
また上面パネルＰ１およびＰ２の支持構造は、いずれも図９乃至図１１に示すように、同一となっている。
【００４２】
すなわち、上梁１にパネル枠支持部材１６が固定され、このパネル枠支持部材１６にヒンジＨ２を介してパネル枠Ｆ１、Ｆ２が回動自在に取付けられている。
【００４３】
またパネル枠Ｆ２にヒンジＨ１を介して上面パネルＰ２が開閉自在に取付けられている。さらにパネル枠Ｆ１にヒンジＨ１を介して上面パネルＰ１が開閉自在に取付けられている。またパネル枠Ｆ１およびパネル枠Ｆ２は、いずれもパネル枠Ｆ３に設置されたロック機構Ｒ２により固定されている。
【００４４】
図１２および図１３において、上面パネルＰ１を支持するパネル枠Ｆ１がかご外装Ｋの中央部に延びる上梁１に対して回動するため、上面パネルＰ１も奥行方向への開閉が可能となる。このため上面パネルＰ１とＰ２はいずれもそれぞれが間口方向と奥行き方向に開閉可能となる。
【符号の説明】
【００４５】
Ｂ  乗りかご、Ｋ  かご外装、Ｐ１，Ｐ２  上面パネル、Ｆ１，Ｆ２  パネル枠、Ｈ１，Ｈ２  ヒンジ、Ｒ１，Ｒ２  ロック機構、１  上梁、２  パネル枠支持部材、３  ロック機構支持部材、５  シャフト、６  ブラケット、７  回転機構、８  上面パネル支え、９  パネル固定部材、１０  蝶ボルト、１１  掛金、１２  ブラケット、１３  パネル固定ブラケット、１４  ガイド、１５  ストッパー、１６  パネル枠支持部材、１７  パネル枠支え、１８  レール、１８ａ  切欠、１９  ステイ、２０  ピン、２１  上面パネル支え、２２  レール、２２ａ  切欠、３０  かご枠、３１  かご室、  ３３  外装本体
【図１】
2016222415.tif 000003
【図２】
2016222415.tif 000004
【図３】
2016222415.tif 000005
【図４】
2016222415.tif 000006
【図５】
2016222415.tif 000007
【図６】
2016222415.tif 000008
【図７】
2016222415.tif 000009
【図８】
2016222415.tif 000010
【図９】
2016222415.tif 000011
【図１０】
2016222415.tif 000012
【図１１】
2016222415.tif 000013
【図１２】
2016222415.tif 000014
【図１３】
2016222415.tif 000015
【図１４】
2016222415.tif 000016
【手続補正書】
【提出日】平成28年6月13日(2016.6.13)
【手続補正１】
【補正対象書類名】明細書
【補正対象項目名】０００８
【補正方法】変更
【補正の内容】
【０００８】
本実施の形態は、かご枠を含み、乗りかごのかご上機器を覆い隠すためのかご外装を備えたエレベータの乗りかごにおいて、前記かご外装は外装本体と、前記かご枠に取り付けられた上梁と、この上梁により支持された複数枚の上面パネルとを有し、前記複数枚の上面パネルは乗りかごの間口方向および乗りかごの奥行方向に開閉可能となることを特徴とするエレベータの乗りかごである。
【手続補正２】
【補正対象書類名】特許請求の範囲
【補正対象項目名】全文
【補正方法】変更
【補正の内容】
【特許請求の範囲】
【請求項１】
かご枠を含み、乗りかごのかご上機器を覆い隠すためのかご外装を備えたエレベータの乗りかごにおいて、
前記かご外装は外装本体と、前記かご枠に取り付けられた上梁と、この上梁により支持された複数枚の上面パネルとを有し、前記複数枚の上面パネルは乗りかごの間口方向および乗りかごの奥行方向に開閉可能となることを特徴とするエレベータの乗りかご。
【請求項２】
各上面パネルは、前記上梁に上面パネル枠を介して取付けられることを特徴とする請求項１記載のエレベータの乗りかご。
【請求項３】
各上面パネルに、開いた角度を固定するロック機構が設けられていることを特徴とする請求項１または２記載のエレベータの乗りかご。
【請求項４】
各上面パネルに、上面パネル枠から取外し可能なヒンジ構造が設けられていることを特徴とする請求項２または３記載のエレベータの乗りかご。
【請求項５】
前記ロック機構は前記上梁に固定された上面パネル枠を含むことを特徴とする請求項３記載のエレベータの乗りかご。